(57)【要約】【課題】多くの機能を有するデジタルカメラを提供すること。【解決手段】カメラ本体２に形成されたレンズ取り付け部５に着脱可能なレンズ３と、カメラ本体２に内蔵されているサブレンズ７と、受信用アンテナ９と、表示部１１と、テレビ及びラジオ放送の少なくとも一方を受信する受信装置とを有することを特徴とするデジタルカメラ。【選択図】図１
2010011051.tif 000002
【特許請求の範囲】
【請求項１】
テレビ及びラジオ放送の少なくとも一方を受信する受信装置を有することを特徴とするデジタルカメラ。
【請求項２】
前記デジタルカメラで撮影した画像と前記受信装置で受信した前記テレビ放送の映像とを合成加工することが可能であることを特徴とする請求項１に記載のデジタルカメラ。
【請求項３】
前記デジタルカメラの撮影と前記テレビ放送の受信とが同時に可能であることを特徴とする請求項１又は２に記載のデジタルカメラ。
【請求項４】
前記デジタルカメラのレンズは着脱可能であることを特徴とする請求項１から３のいずれか１項に記載のデジタルカメラ。
【請求項５】
複数種類の交換レンズが装着可能であることを特徴とする請求項１から４のいずれか１項に記載のデジタルカメラ。
【請求項６】
前記レンズの着脱操作により前記デジタルカメラの作動がＯＮ／ＯＦＦすることを特徴とする請求項４に記載のデジタルカメラ。
【請求項７】
前記レンズが取り外されているとき、前記デジタルカメラに形成されたレンズ取り付け部をふさぐ部材を有することを特徴とする請求項４又は６に記載のデジタルカメラ。
【請求項８】
撮像素子を２つ以上有することを特徴とする請求項１から７のいずれか１項に記載のデジタルカメラ。
【請求項９】
前記撮像素子のうち１つに光を導く撮像レンズが本体に内蔵されていることを特徴とする請求項８に記載のデジタルカメラ。
【請求項１０】
前記デジタルカメラで撮影した画像の再生時に使用する表示部を有し、
前記受信装置で受信した前記テレビ放送の映像は、前記表示部で表示することができることを特徴とする請求項１から９のいずれか１項に記載のデジタルカメラ。
【請求項１１】
前記デジタルカメラで撮影した動画の再生時に使用するスピーカーを有し、
前記受信装置で受信した前記ラジオ放送は、前記スピーカーを使用して聴くことができることを特徴とする請求項１から１０のいずれか１項に記載のデジタルカメラ。
【請求項１２】
前記受信装置で受信可能な前記テレビ放送はデジタル放送であることを特徴とする請求項１から１１のいずれか１項に記載のデジタルカメラ。
【請求項１３】
前記受信装置で受信した前記テレビ放送の映像を録画保存するための記憶媒体を有することを特徴とする請求項１から１２のいずれか１項に記載のデジタルカメラ。
【請求項１４】
前記記憶媒体で録画保存した前記テレビ放送の映像を送信するための送信手段を有することを特徴とする請求項１３に記載のデジタルカメラ。
【請求項１５】
前記受信装置で受信する前記テレビ放送を録画予約するための録画予約手段を有することを特徴とする請求項１３又は１４に記載のデジタルカメラ。
【請求項１６】
遠隔操作に対応するための遠隔操作対応手段を有することを特徴とする請求項１から１５のいずれか１項に記載のデジタルカメラ。
【請求項１７】
受信用アンテナを有することを特徴とする請求項１から１６のいずれか１項に記載のデジタルカメラ。
【発明の詳細な説明】
【技術分野】
【０００１】
本発明はデジタルカメラに関するものである。
【背景技術】
【０００２】
従来、一眼レフデジタルカメラやコンパクトデジタルカメラ、ビデオカメラ等のデジタルカメラが種々提案されている。また、例えばテレビ放送を受信するためのチューナーなどの受信装置が種々提案されている（例えば、特許文献１を参照）。
【特許文献１】特開２００５−３９３９９号公報
【発明の開示】
【発明が解決しようとする課題】
【０００３】
例えば、普段外出、特に旅行などする時に、デジタルカメラ、ラジオ、小型テレビなど多くの荷物を持参することが多々ある。このような時は手荷物が多くなり、また、いくつかのことを同時に行いたい場合には、使用者が異なる装置を常に携帯したり、別々に操作したりしなければならず、不便であった。例えばラジオを聴きながら写真を撮ろうとする場合、従来のデジタルカメラだけでは対応することができない。
【０００４】
本発明は、上記問題に鑑みてなされたものであり、多くの機能を有するデジタルカメラを提供することを目的とする。
【課題を解決するための手段】
【０００５】
上記課題を解決するために、本発明は、テレビ及びラジオ放送の少なくとも一方を受信する受信装置を有することを特徴とするデジタルカメラを提供する。
【発明の効果】
【０００６】
本発明によれば、多くの機能を有するデジタルカメラを提供することができる。
【発明を実施するための最良の形態】
【０００７】
以下、本願の一実施形態に係るデジタルカメラについて図面を参照して説明する。なお、本実施形態に係るデジタルカメラはコンパクトデジタルカメラであるが、本願のデジタルカメラはこれに限定されるものではなく、一眼レフデジタルカメラ、ビデオカメラ等を含むものである。
【０００８】
図１は、本実施形態に係るデジタルカメラ（コンパクトデジタルカメラ１）の略図であり、（ａ）は正面斜視図、（ｂ）は背面斜視図である。
【０００９】
図１（ａ）において、２はカメラ本体、３はレンズ、５はレンズ取り付け部、７はサブレンズ、９は受信用アンテナを表す。また、図１（ｂ）において、１１は表示部（液晶画面）、１３及び１５は種々の条件設定等に使用する操作部を表す。
【００１０】
コンパクトデジタルカメラ１は、一般的なコンパクトデジタルカメラと同様の機能を有している。撮影者が不図示の電源釦を押すと、不図示のシャッタが開放され、レンズ３、サブレンズ７で不図示の被写体からの光が集光され、不図示の像面に配置された不図示の撮像素子（例えば、ＣＣＤやＣＭＯＳ等）に結像される。撮像素子に結像された被写体像は、カメラ本体２の背面に配置された表示部１１に表示される。撮影者は、表示部１１を見ながら被写体像の構図を決めた後、不図示のレリーズ釦を押し下げ被写体像を撮像素子で撮影し、不図示のメモリーに記録保存する。なお、コンパクトデジタルカメラ１は、静止画だけでなく、動画を撮影することもできる。
【００１１】
以下、コンパクトデジタルカメラ１の特徴的な構成について述べる。
【００１２】
コンパクトデジタルカメラ１のレンズ３は、カメラ本体２に形成されたレンズ取り付け部５に着脱可能である。コンパクトデジタルカメラ１は、後述するようにテレビ及びラジオ放送を視聴することが可能な構成を有しているが、レンズ３を着脱可能とすることで、カメラ本体２の厚さを抑え、多くの機能を有するとともにコンパクトなデジタルカメラを実現することができる。また、着脱可能なレンズ３は一種類に限られず、複数種類のレンズ３（高倍率、マクロ、高倍率ズーム等）を取り付けることができる。
【００１３】
また、変形例として、複数種類の交換レンズを外側に配列した円形の保持部材を設け、保持部材を回転させることで、交換レンズを選択して装着できるようにしてもよい。この構成によれば、レンズ交換が簡単に行えるようになる。
【００１４】
また、コンパクトデジタルカメラ１は、レンズ３の着脱操作によりコンパクトデジタルカメラ１の作動がＯＮ／ＯＦＦするようになっている。レンズ３を取り付けることによってコンパクトデジタルカメラ１が撮影可能な状態となるので、レンズ３を取り付けた後に余計な操作をする必要がなく、また、テレビやラジオ視聴時に誤って不要なカメラの操作をしてしまうことを防ぐことができる。
【００１５】
また、コンパクトデジタルカメラ１は、レンズ３が取り外されているとき、カメラ本体２に形成されたレンズ取り付け部５をふさぐ不図示の部材を有する。この構成により、カメラ内部に塵埃が入り込むことを防ぐことができる。
【００１６】
また、コンパクトデジタルカメラ１は、不図示の撮像素子を２つ以上有し、これらの撮像素子のうち１つに光を導く撮像レンズ（サブレンズ７）が本体２に内蔵されている。この構成により、レンズ３を取り付けていない状態でも、サブレンズ７によって撮影することが可能となる。
【００１７】
また、コンパクトデジタルカメラ１は、テレビ及びラジオ放送を受信する不図示の受信装置を有している。カメラ本体２に取り付けられた受信用アンテナ９は、テレビ及びラジオ放送を受信するためのものである。受信装置で受信可能なテレビ放送はデジタル放送である。
【００１８】
また、コンパクトデジタルカメラ１は、撮影した画像の再生時に使用する表示部１１（液晶画面）を有し、受信装置で受信したテレビ放送の映像は、表示部１１で表示することができる。また、コンパクトデジタルカメラ１は、撮影した動画の再生時に使用する不図示のスピーカーを有し、受信装置で受信したテレビ放送の音声及びラジオ放送は、このスピーカーを使用して聴くことができる。
【００１９】
上記構成により、コンパクトデジタルカメラ１でテレビ及びラジオ放送を視聴することができる。また、受信装置で受信したテレビ放送の映像は、表示部１１で表示することができるようにしているため、テレビの映像用に別の表示部を設ける必要がなく、多くの機能を有し、低コストかつコンパクトなデジタルカメラを実現することができる。また、受信装置で受信したテレビ放送の音声及びラジオ放送は、撮影した動画の再生時に使用するスピーカーを使用して聴くことができるようにしているため、テレビやラジオの音声用に別のスピーカーを設ける必要がなく、多くの機能を有し、低コストかつコンパクトなデジタルカメラを実現することができる。
【００２０】
また、コンパクトデジタルカメラ１は、撮影とラジオ放送の受信とが同時に可能である。これにより、例えば、コンパクトデジタルカメラ１だけで、ラジオを聴きながら写真を撮ることも可能となる。
【００２１】
また、コンパクトデジタルカメラ１は、撮影とテレビ放送の受信とが同時に可能である。例えば、表示部１１上に映し出される画面を２分割し、一方に被写体像を表示し、他方にテレビ放送の映像を表示するようにすることで、テレビを見ながら写真を撮ることも可能となる。
【００２２】
また、コンパクトデジタルカメラ１は、受信装置で受信したテレビ放送の映像を録画保存するための不図示の記憶媒体、この記憶媒体で録画保存したテレビ放送の映像を送信するための不図示の送信手段、受信装置で受信するテレビ放送を録画予約するための不図示の録画予約手段、遠隔操作に対応するための不図示の遠隔操作対応手段などを有する。このように多くの機能を持たせることで、コンパクトデジタルカメラ１の利便性を一層向上させることができる。
【００２３】
また、コンパクトデジタルカメラ１は、撮影した画像と受信装置で受信したテレビ放送の映像とを合成加工することが可能であり、そのための不図示の合成加工手段を有している。
【００２４】
例えば、テレビ放送の映像を切り出し、それと写真撮影画像とを合成することができる。テレビ放送の映像を切り出すときには、１ショット、複数ショット、動画などを切り出すことが可能であり、また全画面、一部エリア（右半分）などの切り出す範囲を選択することが可能である。また、人間、動物、自動車、建築物、山などの切り出す対象を指定することも可能である。写真撮影画像と合成するときには、切り出したテレビ映像内の決められた位置（右上など）、或いは任意に指定した位置（有名人の隣、建築物の前など）に撮影画像をはめ込むことができる。
【００２５】
上記合成加工の機能を有することで、従来のデジタルカメラでは実現困難だった様々な画像を作成することができるようになる。
【００２６】
例えば、旅行番組のテレビ映像と撮影した人物画像とを合成加工することにより、世界各地の観光地に行かなくても、それらの観光地に行っているかのような写真を作ることができる。また、例えば有名人が出演している番組や映画のテレビ映像と撮影した人物画像とを合成加工することにより、有名人とのツーショット画像を作ることができる。また、例えばドラえもん等のキャラクターを含むテレビ映像と撮影した人物画像とを合成加工することにより、キャラクターとのツーショット画像を作ることができる。また、録画したテレビ映像に、関係する人物や場所などの撮影画像を合成加工することにより、アルバムのような記録（思い出）画像を作ることができる。さらに音声データのコメントを加えることも可能である。また、合成加工した画像は、前記送信手段により他のモバイル機器などに送信することができる。
【００２７】
以上のように、本実施形態によれば、多くの機能を有し、低コストかつコンパクトで、各デバイス情報を融合し有効な情報を創出することが可能なデジタルカメラを実現することができる。
【００２８】
なお、本発明を分かり易く説明するために実施形態の構成要件を付して説明したが、本発明はこれに限定されるものではない。
【図面の簡単な説明】
【００２９】
【図１】本実施形態に係るデジタルカメラ（コンパクトデジタルカメラ１）の略図であり、（ａ）は正面斜視図、（ｂ）は背面斜視図である。
【符号の説明】
【００３０】
１      コンパクトデジタルカメラ
２      カメラ本体
３      レンズ
５      レンズ取り付け部
７      サブレンズ
９      受信用アンテナ
１１    表示部
【図１】
2010011051.tif 000003